(57)【要約】【課題】リフィールの交換を容易に行う。【解決手段】リフィール室２ｃの外側に摺動体室１１を形成し、摺動体室１１内に摺動体１２を長手軸線Ｋ方向に移動可能にかつ摺動体室１１から取り出し不能に収容し、摺動体１２の内向き突起１２ｂをリフィール３の後端に係合させる。ノック部材５が押下されてリフィール３が筆記位置まで前進させられると、摺動体１２の係止突起１２ａがクリップ本体７ｃの係止段部７ｇに係止してリフィール３が筆記位置に保持され、係止突起１２ａと係止段部７ｇとの間の係止が解除されると圧縮バネによってリフィール３が後退位置まで戻される。リフィール室２ｃからの取り出しのためにリフィール３が後退位置を越えて後方に移動するときに摺動体１２が外向きに移動してリフィール３から離脱するようにし、それにより摺動体１２が摺動体室１１内に保持されたままリフィール３がリフィール室２ｃから取り出されるようにする。【選択図】図４
2008173883.tif 000002
【特許請求の範囲】
【請求項１】
軸筒内に画定されたリフィール室の後端側開口を介してリフィールがリフィール室内に挿入され又はリフィール室から取り出されるノック式筆記具において、リフィール室の外側に摺動体室を形成すると共に該摺動体室内に摺動体を長手方向に移動可能にかつ摺動体室から取り出し不能に収容し、該摺動体に形成された内向き突起をリフィールの後端に係合させ、リフィール後方に配置されたノック部材が押下されてリフィールが摺動体と共に筆記位置まで前進させられると、摺動体に形成された係止突起がクリップ本体に形成された係止段部に係止してリフィールが筆記位置に保持され、これら係止突起と係止段部との間の係止が解除されるとバネによってリフィールが摺動体と共に後退位置まで戻され、リフィール室からの取り出しのためにリフィールが後退位置を越えて後方に移動するときに摺動体が外向きに移動してリフィールから離脱するようにし、それにより摺動体が摺動体室内に保持されたままリフィールがリフィール室から取り出されるようにしたノック式筆記具。
【請求項２】
リフィールが後退位置を越えて後方に移動するときに摺動体がリフィールと共に後方に移動し、このとき摺動体外面が摺動体室内面とテーパ面を介し当接することにより摺動体が外向きに移動してリフィールから離脱するようにした請求項１に記載のノック式筆記具。
【請求項３】
リフィールが後退位置を越えて後方に移動すると摺動体が離脱位置まで移動されると共に該離脱位置に保持されるようにした請求項１又は２に記載のノック式筆記具。
【請求項４】
リフィールがリフィール室内に再挿入されノック部材が軸筒に取り付けられると摺動体が内向きに移動して摺動体の内向き突起がリフィールに再び係合するようにした請求項１から３までのいずれか一項に記載のノック式筆記具。
【請求項５】
クリップ本体に対面する軸筒外面にカバー部材を取り付けると共に、これら軸筒外面及びカバー部材内面により摺動体室を画定するようにした請求項１から４までのいずれか一項に記載のノック式筆記具。
【発明の詳細な説明】
【技術分野】
【０００１】
本発明はノック式筆記具に関する。
【背景技術】
【０００２】
軸筒の後端側開口を介してリフィールが軸筒内に挿入され又は軸筒から取り出されるノック式筆記具であって、リフィール後端とノック部材前端との間に回転駒を介在させ、リフィール後方に配置されたノック部材が押下されてリフィールが回転駒と共に筆記位置まで前進させられると、回転駒に形成された係止突起がクリップ本体に形成された係止段部に係止してリフィールが筆記位置に保持され、これら係止突起と係止段部との間の係止が解除されるとバネによってリフィールが回転駒と共に後退位置まで戻されるノック式筆記具が公知である（特許文献１参照）。このノック式筆記具において、リフィールを交換すべきときすなわち軸筒から取り出すべきときには、まずノック部材が軸筒から取り外され、次いで回転駒が軸筒から取り外され、その結果リフィールが後端側開口を介して軸筒から取り出すことが可能となる。
【０００３】
【特許文献１】実公平７−１７５１５号公報
【発明の開示】
【発明が解決しようとする課題】
【０００４】
しかしながら、特許文献１のノック式筆記具では、リフィールの交換時にノック式筆記具の構成部品すなわち回転駒が軸筒から取り外されるので、このとき構成部品を紛失するおそれがあり、構成部品を紛失するともはやノック式筆記具として機能できなくなる。また、回転駒をクリップ本体の係止段部に正確に位置決めして取り付ける必要もある。すなわち、従来のノック式筆記具ではリフィールの交換が必ずしも容易ではないのである。
【課題を解決するための手段】
【０００５】
本発明によれば、軸筒内に画定されたリフィール室の後端側開口を介してリフィールがリフィール室内に挿入され又はリフィール室から取り出されるノック式筆記具において、リフィール室の外側に摺動体室を形成すると共に該摺動体室内に摺動体を長手方向に移動可能にかつ摺動体室から取り出し不能に収容し、該摺動体に形成された内向き突起をリフィールの後端に係合させ、リフィール後方に配置されたノック部材が押下されてリフィールが摺動体と共に筆記位置まで前進させられると、摺動体に形成された係止突起がクリップ本体に形成された係止段部に係止してリフィールが筆記位置に保持され、これら係止突起と係止段部との間の係止が解除されるとバネによってリフィールが摺動体と共に後退位置まで戻され、リフィール室からの取り出しのためにリフィールが後退位置を越えて後方に移動するときに摺動体が外向きに移動してリフィールから離脱するようにし、それにより摺動体が摺動体室内に保持されたままリフィールがリフィール室から取り出されるようにしている。
【発明の効果】
【０００６】
リフィールの交換時に構成部品を紛失するおそれがなく、構成部品の正確な位置決めを必要としないので、リフィールの交換を容易に行うことができる。
【発明を実施するための最良の形態】
【０００７】
以下では、本発明をノック式ボールペンに適用した場合について説明する。しかしながら、ノック式蛍光ペン等の他のノック式筆記具に本発明を適用することもできる。
【０００８】
図１（Ａ）及び（Ｂ）並びに図２を参照すると、ノック式ボールペン１は前端側開口２ａ及び後端側開口２ｂを有する軸筒２を備えている。この軸筒２は例えば透明又は半透明の合成樹脂から形成される。軸筒２の内部空間にはリフィール室２ｃが画定されており、このリフィール室２ｃ内にリフィール３が長手軸線Ｋ−Ｋ方向に移動可能に収容されている。リフィール３は前方のペン先３ａと後方のインクタンク３ｂとを備えている。ペン先３ａは例えば金属から形成され、インクタンク３ｂは例えば透明又は半透明の合成樹脂から形成される。また、リフィール３とリフィール室２ｃとの間にはリフィール３を後方に付勢する圧縮バネ４が挿入されている。本発明による実施例では、軸筒２の前端側開口２ａはペン先３ａが通過可能であるがインクタンク３ｂが通過不能となるように寸法設定されており、軸筒２の後端側開口２ｂはインクタンク３ｂしたがってリフィール３全体が通過可能となるように寸法設定されている。したがって、本発明による実施例のノック式ボールペン１では、後端側開口２ｂを介してリフィール３がリフィール室２ｃ内に挿入され又はリフィール室２ｃから取り出されるようになっている。
【０００９】
図１（Ａ）及び（Ｂ）並びに図２に加えて図４及び図５も参照すると、リフィール３後方のリフィール室２ｃ内には例えば合成樹脂製のノック部材５が配置されており、リフィール３は圧縮バネ４によりノック部材５に向けて付勢されている。軸筒２の後端側開口２ｂには中空で例えば合成樹脂製の尾栓６が螺合されており、尾栓６の中空空間内にはノック部材５が長手軸線Ｋ−Ｋ方向に移動可能に保持されている。この場合、ノック部材５の前端のほぼ中央に形成された凸部５ａがリフィール３の後端のほぼ中央に形成された凹部３ｃ内に受容されており、それによってリフィール３とノック部材５とが互いに整列される。本発明による実施例では、ノック部材５はリフィール室２ｃのほぼ中央に位置するよう尾栓６により保持されており、したがってリフィール室３もリフィール室２ｃのほぼ中央に位置するよう整列されている。なお、リフィール３に凸部を形成しノック部材５に凹部を設けるようにしてもよい。更に、ノック部材５には凸部５ａの後方にフランジ５ｂが形成されており、凸部５ａが凹部３ｃ内に受容されるとノック部材５とリフィール３の後端との間に環状溝３ｄが形成される。
【００１０】
一方、軸筒２の外面にはクリップ７が設けられる。本発明による実施例では、クリップ７は、軸筒２の外面に設けられたクリップ取り付け台座７ａと、クリップ取り付け台座７ａのピン７ｂに揺動可能に取り付けられた例えば合成樹脂製のクリップ本体７ｃと、ピン７ｂよりも後方においてクリップ取り付け台座７ａとクリップ本体７ｃとの間に配置された圧縮バネ７ｄとを備えている。クリップ本体７ｃの前端には玉部７ｅが形成されており、クリップ本体７ｃの後端には操作部７ｆが形成されている。したがって、圧縮バネ７ｄにより玉部７ｅが軸筒２に向け付勢されることにより物品がクリップ本体７ｃと軸筒２との間に把持され、操作部７ｆが押下されると玉部７ｅが軸筒２から離れる方向に移動されることになる。更に、玉部７ｅには係止段部７ｇが形成されている。なお、クリップ７を、クリップ本体自体の弾性でもって物品を把持する形式のクリップから形成することもできる。
【００１１】
本発明による実施例では、図３から図５に示されるように、軸筒２とクリップ本体７ｃとの間において軸筒２の外面に例えば合成樹脂製のカバー部材１０が取り付けられている。このカバー部材１０はおおむねＣ字形状断面を有し、その凹状部分が軸筒２に向けて開口するように軸筒２に取り付けられている。本発明による実施例では、カバー部材１０に形成された左右一対のＬ字状前方脚１０ａが軸筒２に形成された受容孔２ｄ内に受容され、カバー部材１０に形成された左右一対のＬ字状後方脚１０ｂが軸筒２に形成された受容孔２ｅ内に受容され、軸筒２に形成された突起２ｆがカバー部材１０に形成された受容孔１０ｃ内に受容されることにより、カバー部材１０が軸筒２に固定される。また、カバー部材１０の外面には上述したクリップ７のピン７ｂが一体形成されており、カバー部材１０とクリップ本体７ｃとの間に圧縮バネ７ｄが配置されており、したがって本発明による実施例ではカバー部材１０がクリップ取り付け台座７ａを構成している。
【００１２】
軸筒２に取り付けられたカバー部材１０の内面と軸筒２外面とによりリフィール室２ｃの外側に摺動体室１１が画定され、この摺動体室１１内に例えば合成樹脂製の摺動体１２が長手軸線Ｋ−Ｋ方向に移動可能にかつ摺動体室１１から取り出し不能に収容されている。摺動体１２は長手軸線Ｋ−Ｋ方向に延びる棒状をなし、その前端には外向きすなわちクリップ本体７ｃに向けて突出する係止突起１２ａが形成され、その後端には内向きすなわち軸筒２ないしリフィール３に向けて突出する内向き突起１２ｂが形成されている。摺動体１２の後端には更に、後方に突出する嵌合突起１２ｃが形成され、この嵌合突起１２ｃは長手軸線Ｋ−Ｋに対し傾斜するテーパ面１２ｄを備えている。また、摺動体１２の上面には長手軸線Ｋ−Ｋに対し傾斜するテーパ面１２ｅを有する凹溝１２ｆが形成される。
【００１３】
図３及び図４に示されるように、カバー部材１０の前端には開口１０ｄが形成されている。摺動体１２はこの開口１０を介し前方に延びており、摺動体１２の係止突起１２ａは摺動体室１１の外部に位置することになる。なお、係止突起１２ａはカバー部材１０の開口１０ｄよりも大きく寸法設定されている。一方、軸筒２には窓孔２ｇが形成されており、摺動体１２の内向き突起１２ｂはこの窓孔２ｇを介し内向きに延びてリフィール３とノック部材５との間の環状溝３ｄ内に到り、リフィール３及びノック部材５と係合するようになっている。詳しくは後述するが、内向き突起１２ｂは窓孔２ｇ内を長手軸線Ｋ−Ｋ方向に移動可能になっている。なお、本発明による実施例では、後方脚１０ｂのための受容孔２ｅと窓孔２ｇとが互いに接続されて一つの孔を形成している。更に、クリップ本体７ｃの係止段部７ｇに対面する軸筒２に逃げ孔２ｇが形成されている。
【００１４】
特に図４に示されるように、内向き突起１２ｂがリフィール３と係合しているときに内向き突起１２ｂ周りの摺動体１２外面と摺動体室１１内面との間に空隙１１ａが形成されるようカバー部材１０ないし摺動体室１１が寸法設定されている。また、空隙１１ａに対面する摺動体室１１の内面には前方に向けて開口する凹部１１ｂが形成されており、この凹部１１ｂの入口には長手軸線Ｋ−Ｋに対し傾斜するテーパ面１１ｃが形成されている。更に、摺動体室１１内面には、空隙１１ａ内に突出する凸部１１ｄが形成されている。この凸部１１ｄは摺動体１２の凹溝１２ｆ内に受容され得るように寸法設定されている。更に、摺動体室１１前方の内面には長手軸線Ｋ−Ｋに対し傾斜するテーパ面１１ｅが形成されている。
【００１５】
次に、本発明による実施例のノック式ボールペン１のノック動作について説明する。
【００１６】
図１（Ａ）及び（Ｂ）、図２、並びに図４はリフィール３が後退位置にある場合を示している。この後退位置では、リフィール３の後方への移動がノック部材５及び尾栓６によって規制されており、通常の使用時においてリフィール３及びノック部材５が最も後方にある位置である。この場合、例えば図２に示されるように、ペン先３ａは軸筒２ないしリフィール室２ｃ内に収容されている。また、この後退位置において、摺動体１２はテーパ面１１ｃ，１２ｄを介して摺動体室１１内面に当接している。
【００１７】
図６に矢印Ｘで示されるようにノック部材５がユーザによって押下されると、リフィール３が摺動体１２と共に前方に移動し、次いで摺動体１２の係止突起１２ａがクリップの係止段部７ｇを越えて前進する。この位置においてノック部材５が押下されなくなると、リフィール３が摺動体１２と共に圧縮バネ４によって後方に付勢されているので、係止突起１２ａが係止段部７ｇに係止し、リフィール３が摺動体１２と共に筆記位置に保持されるようになる。すなわち、この筆記位置では、ペン先３ａが軸筒２の前端側開口２ａから突出しており、したがってユーザはノック式ボールペン１でもって筆記することができる。このときリフィール３に作用する後方への筆記圧は摺動体１２を介しクリップ本体７ｃによって受けられる。この場合、摺動体１２の嵌合突起１２ｃが摺動体室１１の凸部１１ｄに当接しているので、摺動体１２が外向きに空隙１１ａ内へ移動するのが阻止され、摺動体１２の内向き突起１２ｂがリフィール３から離脱するのが阻止されている。
【００１８】
リフィール３が筆記位置にあるときに、図６に矢印Ｙで示されるようにクリップ本体７ｃの操作部７ｆが押下されると、クリップ本体７ｃの係止段部７ｇが外向きに移動されて摺動体１２の係止突起１２ａから離脱する。その結果、圧縮バネ４の付勢力によってリフィール３が摺動体１２及びノック部材５と共に後退位置（図４）まで戻される。
【００１９】
また、本発明による実施例のノック式ボールペン１はいわゆるセーフティ機構を備えている。すなわち、リフィール３が筆記位置にあるときにボールペン１を例えば衣類のポケットに挿すと、クリップ本体７ｃの係止段部７ｇと摺動体１２の係止突起１２ａとの間の係止が自動的に解除され、リフィール３が摺動体１２及びノック部材５と共に後退位置まで戻され、すなわちペン先３ａが軸筒２内に収容される。したがって、衣類がインクで汚れることがない。クリップ本体７ｃと軸筒２との間に物品を挟もうとした場合も同様である。この場合、クリップ本体７ｃが外向きに移動してもよいし、クリップ本体７ｃが外向きに移動しなくても摺動体１２の前端部が逃げ孔２ｇ内に内向きに変形することによって係止段部７ｇと係止突起１２ａとの間の係止が解除される。
【００２０】
次に、本発明による実施例のノック式ボールペン１のリフィール交換動作について説明する。
【００２１】
上述したように本発明による実施例のノック式ボールペン１では、後端側開口２ｂを介してリフィール３の交換動作が行われ、すなわちリフィール３が後端側開口２ｂを介してリフィール室２ｃ内に挿入され又はリフィール室２ｃから取り出されるようになっている。一般的には、リフィール３を交換するために、軸筒２の前方部分又は中間部分に螺合部が設けられる。ところが、この螺合部のためには軸筒２の肉厚を大きくする必要があるので、軸筒２の前方部分又は中間部分を太くせざるを得ない。このことは、ボールペンの設計上の自由度が低下することを意味している。そこで本発明による実施例では、螺合部を軸筒２の後端に設け、すなわち軸筒２の前方部分又は中間部分には設けないようにし、それにより設計上の自由度が低下しないようにしている。
【００２２】
リフィール３を軸筒２ないしリフィール室２ｃから取り出すべきときには、まず尾栓６が軸筒２の後端側開口２ｂから取り外される。すなわち、ノック部材５が尾栓６と共に後方に移動される。リフィール３は、ノック部材５に当接することによって後方への移動が規制されているので、ノック部材５が後方に移動すると後退位置を越えて後方に移動する。また、内向き突起１２ｂがリフィール３の後端に係合しているので、摺動体１２も後方に移動する。このとき、摺動体１２は、上述したようにテーパ面１１ｃ，１２ｄを介して摺動体室１１内面に当接しているので、後方に移動するにつれて外向きにも移動する。この場合、摺動体室１１の凸部１１ｄは摺動体１２の凹溝１２ｆ内に受容されるので、摺動体１２の外向きの移動が凸部１１ｄによって妨げられることはない。その結果、図７に示されるように内向き突起１２ｂがリフィール３から離脱し、図８に示されるように摺動体１２によって妨げられることなくリフィール３をリフィール室２ｃから取り出すことが可能となる。
【００２３】
すなわち、内向き突起１２ｂがリフィール３から離脱する位置を離脱位置と称すれば、リフィール３が後退位置を越えて後方に移動すると摺動体１２が離脱位置まで移動されるということになる。ここで、摺動体１２外面と摺動体室１１内面との間の空隙１１ａ（図４）に注目すると、摺動体１２の内向き突起１２ｂがリフィール３から離脱するのに必要な量だけ外向きに移動できるように空隙１１ａが寸法設定されているという見方もできる。
【００２４】
また、摺動体１２が離脱位置まで移動されたときには、摺動体１２の嵌合突起１２ｃが摺動体室１１の凹部１１ｂ内に嵌合され、したがって摺動体１２が離脱位置に保持される。
【００２５】
次いで、新たなリフィール３が後端側開口２ｂを介しリフィール室２ｃ内に挿入される。この場合、図８に示されるように摺動体１２は離脱位置に保持されている。また、リフィール室２ｃの内径はリフィール３ないしインクタンク３ｂの外径よりもわずかに大きく寸法設定されているので（図５参照）、リフィール３はリフィール室２ｃに対しわずかに偏心した状態でリフィール室２ｃ内を前進させられる。その結果、リフィール３は摺動体１２の内向き突起１２に衝突することなくリフィール室２ｃ内を前方に移動することができる。
【００２６】
次いで、尾栓６がノック部材５と共に後端側開口２ｂに取り付けられる。尾栓６が軸筒２に螺合されてノック部材５が前方に移動されると、図７に示されるようにノック部材５の凸部５ａがリフィール３の凹部３ｃ内に受容されるようになり、したがってリフィール３がリフィール室２ｃ内においてセンタリングされる。また、このときリフィール３とノック部材５との間に環状溝３ｄが形成される。
【００２７】
ノック部材５が尾栓６と共に更に前方に移動されるとノック部材５のフランジ５ａが摺動体１２の内向き突起１２ｂに当接し、ノック部材５が更に前方に移動されると摺動体１２がノック部材５と共に前方に移動される。その結果、摺動体１２の嵌合突起１２ｃが凹部１１ｂから離脱する。このとき摺動体室１１の凸部１１ｄが摺動体１２の凹溝１２ｆのテーパ面１２ｅに当接し、摺動体１２が摺動体室１１のテーパ面１１ｅに当接するので、摺動体１２は前方に移動するにつれて内向きにも移動することになる。次いで、尾栓６の取り付けが完了しリフィール３が後退位置に位置されると、図４に示されるように内向き突起１２ｂが環状溝３ｄ内に受容され、したがって摺動体１２がリフィール３と再び係合するようになる。
【００２８】
そうすると、本発明による実施例では、概略的に言えば、リフィール３が後退位置を越えて後方に移動してから再び後退位置に戻るまでの間、摺動体１２が離脱位置に保持されることになる。このようにすると、リフィール３をリフィール室２ｃ内に挿入するときにリフィール３が内向き突起１２ｂに衝突ないし干渉することなくリフィール室２ｃ内を進行することができ、したがってリフィール３を簡単にリフィール室２ｃ内に挿入することができる。しかも、リフィール３をリフィール室２ｃ内に挿入しノック部材５を尾栓６と共に軸筒２に取り付けるだけで、摺動体１２が自動的に離脱位置から移動して摺動体１２の内向き突起１２ｂが環状溝３ｄ内に再び受容される。したがって、ユーザはその後のノック動作で、直ちに筆記することが可能となる。
【００２９】
また、本発明による実施例では、摺動体１２が摺動体室１１内に保持されたままリフィール３の交換が行われ、したがってリフィール３の交換時に摺動体１２を紛失するおそれがない。更に、リフィール３とノック部材５との間の環状溝３ｄに摺動体１２の内向き突起１２ｂが係合されるようになっているので、リフィール３やノック部材５等の位置決めをする必要もない。したがって、リフィール３の交換を容易に行うことができる。
【００３０】
なお、リフィール自体に係止突起を形成すれば構成部品を紛失するおそれがなくなる（例えば実公平４−３２３１０号公報参照）。しかしながら、このようにすると例えばノック式でない筆記具にリフィールを適用することができなくなり、すなわちリフィールの汎用性がなくなってしまう。これに対し、本発明による実施例では、リフィール３をノック式でない筆記具にも適用することができる。
【００３１】
また、ノック部材に係止突起を形成することによっても構成部品の紛失の可能性が低減される。しかしながら、この場合には、係止突起がクリップ本体の係止段部に係止できるようノック部材を延長する必要があるので、軸筒全体を長くしない限り、リフィールの長さを短くしなければならず、リフィールのインク容量が減少されてしまう。ノック部材をカップ状にしてリフィールの後方部分を受容するようにすればこの課題は解決されるけれども、今度は、軸筒の径が大きくなり、リフィール後方部分におけるインク残量の視認性が低下するという問題が生ずる。これに対し、本発明による実施例では、ノック部材５を延長する必要がないのでリフィール３を長くすることができ、ノック部材５をカップ状にする必要がないので軸筒２の径を小さくしつつインク残量の視認性を高くすることができる。すなわち、概略的にいえば、軸筒２の長さはリフィール３の長さにノック部材５の長さを足し合わせたものに過ぎず、軸筒２の径はリフィール３の径に軸筒２の肉厚を足し合わせたものに過ぎない。
【００３２】
更に、本発明による実施例では、軸筒２とクリップ本体７ｃとの間に摺動体室１１が形成されるので、従来の場合と比べて、軸筒２の径を大きくする必要がない。
【００３３】
これまで述べてきた本発明による実施例では、摺動体室１１が軸筒２の外部に形成されている。しかしながら、摺動体室１１を軸筒２の内部に形成することもできる。すなわち、図９に示されるように軸筒２には外向きに突出する凸状部分２ｘと隔壁２ｙとが設けられ、軸筒２のうち凸状部分２ｘの内面と隔壁２ｙの外面により摺動体室１１が画定され、残りの軸筒２の内面と隔壁２ｙの内面とによりリフィール室２ｃが画定される。
【００３４】
また、これまで述べてきた本発明による実施例では、摺動体室１１のテーパ面１１ｃと摺動体１２のテーパ面１２ｄとが互いに当接するようにしている。しかしながら、摺動体室１１及び摺動体１２のうち少なくとも一方にテーパ面が存在すればよい。また、本発明による実施例では、摺動体室１１に凸部１１ｄを形成し摺動体１２に凹溝１２ｆを形成するようにしている。しかしながら、摺動体室１１に凹溝を形成し摺動体１２に凸部を形成するようにすることもできる。
【図面の簡単な説明】
【００３５】
【図１】本発明による実施例のノック式ボールペンの（Ａ）平面図及び（Ｂ）側面図である。
【図２】図１の線ＩＩ−ＩＩに沿ってみたノック式ボールペンの断面図である。
【図３】本発明による実施例のノック式ボールペンの分解図である。
【図４】本発明による実施例のノック式ボールペンの部分拡大図である。
【図５】図４の線Ｖ−Ｖに沿ってみたノック式ボールペンの断面図である。
【図６】本発明による実施例のノック式ボールペンのノック動作を説明するための図である。
【図７】本発明による実施例のノック式ボールペンのリフィール交換動作を説明するための図である。
【図８】本発明による実施例のノック式ボールペンのリフィール交換動作を説明するための図である。
【図９】本発明による別の実施例を示す図５と同様の断面図である。
【符号の説明】
【００３６】
１    ノック式ボールペン
２    軸筒
２ａ    前端側開口
２ｂ    後端側開口
２ｃ    リフィール室
３    リフィール
４    圧縮バネ
５    ノック部材
７    クリップ
７ｃ    クリップ本体
７ｇ    係止段部
１１    摺動体室
１２    摺動体
１２ａ    係止突起
１２ｂ    内向き突起
【図１】
2008173883.tif 000003
【図２】
2008173883.tif 000004
【図３】
2008173883.tif 000005
【図４】
2008173883.tif 000006
【図５】
2008173883.tif 000007
【図６】
2008173883.tif 000008
【図７】
2008173883.tif 000009
【図８】
2008173883.tif 000010
【図９】
2008173883.tif 000011